(57)【要約】【課題】トラッキングコイルを構成する巻線の撓みを抑制する対物レンズホルダ等を提供する。【解決手段】ＯＢＬレンズホルダ２１の側壁に設けたボビン５７−６０には、トラッキングコイル３６−３９が取り付けられている。そして、ボビン５９の側方で側壁部５３を部分的に突起させた導線掛部２８Ａを設け、この導線掛部２８Ａに導線を引掛けている。同様に、ボビン５８の近傍で側壁部５２に導線掛部２８Ｂを設けトラッキングコイルを構成する導線をこの導線掛部２８Ｂに引掛けている。これにより、導線の撓みが防止される。【選択図】図３
2013097823.tif 000002
【特許請求の範囲】
【請求項１】
対物レンズが固定される主面部から連続する側壁部と、
前記側壁部から側方に突出する第１ボビン、第２ボビン、第３ボビンおよび第４ボビンと、
前記各ボビンに導線を巻回することで形成された第１トラッキングコイル、第２トラッキングコイル、第３トラッキングコイルおよび第４トラッキングコイルと、を備え、
前記第１ボビン、前記第２ボビン、前記第３ボビンおよび前記第４ボビンの少なくとも１つの近傍で、前記側壁部を側方に突出させた導線掛部に、前記導線を引掛けることを特徴とする対物レンズホルダ。
【請求項２】
前記対物レンズホルダを横断する前記導線が、前記導線掛部に引掛けられることを特徴とする請求項１に記載の対物レンズホルダ。
【請求項３】
前記導線掛部は、前記対物レンズホルダを横断する前記導線が外側から導出される前記ボビンの近傍に設けられることを特徴とする請求項２に記載の対物レンズホルダ。
【請求項４】
前記側壁部は、第１方向で対向する第１側壁部および第２側壁部と、前記第１方向に直交する第２方向で対向する第３側壁部および第４側壁部を有し、
前記第１ボビンおよび前記第４ボビンは、前記第１側壁部に設けられ、
前記第２ボビンおよび前記第３ボビンは、前記第２側壁部に設けられ、
前記第１ボビン、前記第２ボビン、前記第３ボビンおよび前記第４ボビンの順番で前記導線を巻回することにより、前記第１トラッキングコイル、前記第２トラッキングコイル、前記第３トラッキングコイルおよび前記第４トラッキングコイルが形成され、
前記第３トラッキングコイルおよび前記第４トラッキングコイルの近傍にそれぞれ設けた前記導線掛部に、前記導線を引掛けることを特徴とする請求項１から請求項３の何れかに記載の対物レンズホルダ。
【請求項５】
前記第１トラッキングコイルおよび前記第２トラッキングコイルで前記導線が巻回される方向と、前記第３トラッキングおよび前記第４トラッキングで前記導線が巻回される方向とは、逆であることを特徴とする請求項４に記載の対物レンズホルダ。
【請求項６】
前記導線が引掛けられる前記導線掛部の側面は、前記側面の外側と前記側壁部との成す角の角度が鋭角と成るように、前記側壁部の側面に対して傾斜する傾斜面であり、
前記傾斜面に前記導線が引掛けられることを特徴とする請求項１から請求項５の何れかに記載の対物レンズホルダ。
【請求項７】
前記第３ボビン付近の前記第２側壁部に第１導線掛部を設け、
前記第２ボビンと前記第３ボビンとの間の前記導線を前記第１導線掛部に引掛けると共に、前記第３ボビンと前記第４ボビンとの間の前記導線を前記第１導線掛部に巻回することを特徴とする請求項４から請求項６の何れかに記載の対物レンズホルダ。
【請求項８】
前記第４ボビン付近の前記第１側壁部に第２導線掛部を設け、
前記第３ボビンと前記第４ボビンとの間の前記導線を前記第２導線掛部に引掛けることを特徴とする請求項７に記載の対物レンズホルダ。
【請求項９】
前記側壁部の端部に切込部を設け、前記トラッキングコイル同士の間の前記導線を前記切込部に引掛けることを特徴とする請求項１から請求項８の何れかに記載の対物レンズホルダ。
【請求項１０】
前記導線掛部を前記ボビンから１．２ｍｍ以上離間させることを特徴とする請求項１から請求項９の何れかに記載の対物レンズホルダ。
【請求項１１】
前記側壁部は、第１方向で対向する第１側壁部および第２側壁部と、前記第１方向に直交する第２方向で対向する第３側壁部および第４側壁部を有し、
前記第１ボビンおよび前記第４ボビンは、前記第１側壁部に設けられ、
前記第２ボビンおよび前記第３ボビンは、前記第２側壁部に設けられ、
前記第１ボビン、前記第２ボビン、前記第３ボビンおよび前記４ボビンの順番で前記導線を巻回することにより、前記第１トラッキングコイル、前記第２トラッキングコイル、前記第３トラッキングコイルおよび前記第４トラッキングコイルが形成され、
前記第１トラッキングコイルおよび前記第２トラッキングコイルの近傍にそれぞれ設けた前記導線掛部に、前記導線を引掛けることを特徴とする請求項１から請求項３の何れかに記載の対物レンズホルダ。
【請求項１２】
請求項１から請求項１１の何れかに記載された対物レンズホルダと、
前記対物レンズホルダを移動可能に支持するアクチュエータフレームと、を備えることを特徴とする対物レンズ駆動装置。
【請求項１３】
請求項１から請求項１１の何れかに記載された対物レンズホルダと、
前記対物レンズホルダに装着された第１トラッキングコイル、第２トラッキングコイル、第３トラッキングコイルおよび第４トラッキングコイルに流される駆動電流に対してトラッキング方向へ変位させる駆動力を発生させる磁界を発生する磁気回路と、を備えることを特徴とする対物レンズ駆動装置。
【請求項１４】
請求項１２または請求項１３に記載の対物レンズ駆動装置をハウジングに搭載したことを特徴とする光ピックアップ装置。
【発明の詳細な説明】
【技術分野】
【０００１】
本発明は、対物レンズホルダ、対物レンズ駆動装置および光ピックアップ装置に関する。特に、本発明は、トラッキングコイルを構成する巻線を側壁部に密着させる導線掛部を備えた対物レンズホルダ、対物レンズ駆動装置および光ピックアップ装置に関する。
【背景技術】
【０００２】
光ディスクに対して光学的に信号の読み取り、あるいは書き込みを行う光学ヘッドにおける対物レンズ駆動装置においては、対物レンズ（Ｏｂｊｅｃｔｉｖｅ  ｌｅｎｓ）が取り付けられた対物レンズホルダ（以下、ＯＢＬホルダと称する）をアクチュエータフレームに対して変位可能に支持されている。また、ＯＢＬホルダには、フォーカスコイル及びトラッキングコイル、あるいは必要に応じてチルトコイルをＯＢＬホルダに装着すると共に、これらの駆動コイルの有効領域を磁気回路により形成される所定の磁界内に配置することにより各駆動コイルに供給する信号に応じて対物レンズを駆動する構成となっている。
【０００３】
従来から存在する光ピックアップ装置に内蔵される対物レンズ駆動装置として、下記特許文献１に記載されているものがある。当該文献の図３等を参照すると、レンズホルダ４に第１ボビン部７ａ、第２ボビン部８ａ、８ｂ、第３ボビン部８ｄを設け、これらのボビンに巻線を巻回することによりトラッキングコイル１２を形成していた。
【先行技術文献】
【特許文献】
【０００４】
【特許文献１】特開２００７−１８５７３号公報
【発明の概要】
【発明が解決しようとする課題】
【０００５】
しかしながら、上記した特許文献１に記載された技術では、複数のボビンに連続して巻線を巻回する場合、レンズホルダの表面に這わせた巻線が撓んでしまい、巻線を巻回する巻回ノズルが巻線を巻き込み断線してしまう恐れがあった。
【０００６】
また、光ピックアップ装置の使用状況下にてレンズホルダに表面に這わせた巻線が撓んでしまうと、この巻線によりレンズホルダの動作が阻害されてしまう恐れもあった。
【０００７】
本発明は上記問題点を鑑みてなされたものであり、本発明の目的は、トラッキングコイルを構成する巻線の撓みを抑制する対物レンズホルダ、対物レンズ駆動装置および光ピックアップ装置を提供することにある。
【課題を解決するための手段】
【０００８】
本発明の対物レンズホルダは、対物レンズが固定される主面部から連続する側壁部と、前記側壁部から側方に突出する第１ボビン、第２ボビン、第３ボビンおよび第４ボビンと、前記各ボビンに導線を巻回することで形成された第１トラッキングコイル、第２トラッキングコイル、第３トラッキングコイルおよび第４トラッキングコイルと、を備え、前記第１ボビン、前記第２ボビン、前記第３ボビンおよび前記第４ボビンの少なくとも１つの近傍で、前記側壁部を側方に突出させた導線掛部に、前記導線を引掛けることを特徴とする。
【０００９】
更に、本発明の対物レンズ駆動装置は、上記構成の対物レンズホルダと、前記対物レンズホルダを移動可能に支持するアクチュエータフレームと、を備えることを特徴とする。
【００１０】
更にまた、本発明の光ピックアップ装置は、上記構成の対物レンズ駆動装置をハウジングに搭載したことを特徴とする。
【発明の効果】
【００１１】
本発明によれば、トラッキングコイルが巻回されるボビンの近傍で側壁部を突出させた巻線掛部を設け、この導線掛部にトラッキングコイルを構成する導線を引掛けている。従って、導線掛部に巻線が引掛けられることにより、レンズホルダの表面に巻線が密着する。この結果、使用状況下にて撓んだ巻線が外部と接触して動作不良を引き起すことが防止され、ボビンに導線を巻回する巻回ノズルが巻線に接触することが防止される。
【図面の簡単な説明】
【００１２】
【図１】本発明の光ピックアップ装置を示す平面図である。
【図２】本発明の対物レンズ駆動装置を示す平面図であり、（Ａ）は対物レンズ駆動装置を示す平面図であり、（Ｂ）はＯＢＬホルダの部分を拡大して示す平面図である。
【図３】本発明の対物レンズホルダを示す図であり、（Ａ）は斜視図であり、（Ｂ）は他の視点から対物レンズホルダを見た斜視図である。
【図４】本発明の対物レンズホルダを示す図であり、（Ａ）は全体を示す斜視図であり、（Ｂ）から（Ｅ）は各トラッキングコイルがボビンに巻回される状態を示す拡大斜視図である。
【図５】本発明の対物レンズホルダにおいて、導線掛部に導線が掛けられる状態を示す斜視図である。
【図６】（Ａ）および（Ｂ）は、本発明の対物レンズホルダにおいて、導線掛部に導線が掛けられる状態を示す斜視図及び断面図であり、（Ｃ）および（Ｄ）は他の導線掛部に導線が掛けられる状態を示す斜視図および断面図である。
【発明を実施するための形態】
【００１３】
図１から図６を参照して、本発明の実施形態を説明する。まず、図１は本実施形態の光ピックアップ装置１００の概略を示す平面図である。
【００１４】
光ピックアップ装置１００は、一例としてＣＤ（Ｃｏｍｐａｃｔ  Ｄｉｓｃ）規格、ＤＶＤ（Ｄｉｇｉｔａｌ  Ｖｅｒｓａｔｉｌｅ  Ｄｉｓｃ）規格、およびＢＤ（Ｂｌｕ−ｒａｙ  Ｄｉｓｃ）規格の各光ディスクに対応する構成となっており、対物レンズ駆動装置５０および各種光学部品がハウジング５１に設置されて構成されている。光ピックアップ装置の概略的機能は、光ディスクの情報記録層に対して所定の規格のレーザー光を照射し、この情報記録層で反射したレーザー光を受光することで、光ディスクからの情報の読出しまたは書き込みを行うことにある。
【００１５】
対物レンズ駆動装置５０は、対物レンズ（Ｏｂｊｅｃｔｉｖｅ  ｌｅｎｓ）ホルダ（以下、ＯＢＬホルダ）２１を移動可能に保持する。ＯＢＬホルダ２１は、上記した各規格の何れかまたは全てに対応する対物レンズ３１が装着される。
【００１６】
レーザーユニット１はレーザーダイオードを備え、このレーザーダイオードから上記した規格のレーザー光が放射される。具体的には、ＢＤに適した青紫色（青色）波長帯３９５ｎｍ〜４２０ｎｍ（例えば４０５ｎｍの波長）のレーザー光、ＤＶＤに適した赤色波長帯６４５ｎｍ〜６７５ｎｍ（例えば６５０ｎｍの波長）のレーザー光、またはＣＤに適した赤外波長帯７６５ｎｍ〜８０５ｎｍ（例えば７８０ｎｍの波長）のレーザー光が、レーザーダイオードから放射される。
【００１７】
レーザーユニット１から放射されたレーザー光は、回折格子６で０次光、＋１次光、−１次光に分離されてハーフミラー１３で反射された後に、１／４波長板９およびコリメートレンズ１２を通過し、不図示の立ち上げミラーで反射されて対物レンズ３１で光ディスクの情報記録層に合焦される。また、レーザーユニット１から放射されたレーザー光の一部はハーフミラー１３を透過してＦＭＤ２０で検出され、この検出に基づいてレーザーユニット１の出力が調整される。
【００１８】
そして、光ディスクの情報記録層で反射した戻り光のレーザー光は、立ち上げミラー、コリメートレンズ１２、１／４波長板９、ハーフミラー１３を透過し、その後、第１プレート１６および第２プレート１９で不要な非点収差が打ち消され、所望の非点収差が付与された後に、光検出器１７（ＰＤＩＣ）で検出される。光検出器１７で検出された信号に基づいて、ＯＢＬホルダ２１のコイルに制御信号が供給され、フォーカスコイル、トラッキングコイル、またはチルトコイルに制御電流が供給される。この結果、フォーカス制御、トラッキング制御及びラジアルチルト制御が行われる。ここで、後述する対物レンズ駆動装置５０の場合、フォーカスコイルがチルトコイルの機能を兼ねており、チルトコイルが省かれている。
【００１９】
ここで、図１に示すＤｔ方向とはタンジェンシャル方向であり、Ｄｒ方向とはトラッキング方向（光ディスクのラジアル方向）であり、Ｄｆ方向とはフォーカス方向である。これらの各方向は互いに直交している。
【００２０】
図２を参照して、上記した光ピックアップ装置に組み込まれる対物レンズ駆動装置５０を説明する。図２（Ａ）は対物レンズ駆動装置５０を全体的に示す平面図であり、（Ｂ）はＯＢＬホルダ２１の部分を拡大して示す平面図である。
【００２１】
対物レンズ駆動装置５０は、アクチュエータ可動部４０とアクチュエータフレーム４１とから成る。また、アクチュエータ可動部４０はＯＢＬホルダ２１と、支持ワイヤ４５から構成される。アクチュエータフレーム４１は、珪素鋼板等の磁性金属材料から形成され、部分的に直角に曲折加工されることで、後述する各ヨークが形成される。
【００２２】
アクチュエータ可動部４０は、支持ワイヤ４５によりアクチュエータフレーム４１に対してフォーカス方向（Ｄｆ方向）、トラッキング方向（Ｄｒ方向）及びラジアルチルト方向（Ｄｒｔ方向）に変位可能に弾性的に支持される。支持ワイヤ４５は、一端がＯＢＬホルダ２１の側壁に固定され、他端がアクチュエータフレーム４１に固定された固定基板４４に固定される。前記固定基板４４は支持ワイヤ４５を制振させるダンパー材が充填される補助部材４３に接着され、該補助部材４３と共にアクチュエータフレーム４１にねじ止め固定される。支持ワイヤ４５は、アクチュエータフレーム４１の１つの側面に対して例えば３本ずつ架設され、アクチュエータ可動部４０を中空状態で機械的に支持すると共に、アクチュエータ可動部４０に備えられる各コイルに供給される電流が流れる接続手段としても機能している。
【００２３】
図２（Ｂ）を参照して、アクチュエータ可動部４０は、ＯＢＬホルダ２１と、ＯＢＬホルダ２１の上面に固定された対物レンズ３１と、ＯＢＬホルダ２１の側壁部の外側の面に巻回されたトラッキングコイル３６−３９と、ＯＢＬホルダ２１に内蔵されたフォーカスコイル２９、３０とを主要に備える。
【００２４】
ＯＢＬホルダ２１の側壁部外側に配置された各トラッキングコイル３６−３９に面するアクチュエータフレーム４１の各バックヨークに、マグネット３２−３５が配置されている。具体的には、ＯＢＬホルダ２１の紙面上下方の側壁部にトラッキングコイル３９およびトラッキングコイル３８が設けられ、トラッキングコイル３９に対向してマグネット３５が配置されており、トラッキングコイル３８に対向してマグネット３４が配置されている。一方、ＯＢＬホルダ２１の紙面上上方の側壁部にトラッキングコイル３６およびトラッキングコイル３７が配置され、トラッキングコイル３６に対向してマグネット３２が配置されており、トラッキングコイル３７に対向してマグネット３３が配置されている。
【００２５】
各マグネット３２−３５の、各トラッキングコイル３６−３９に対向する面は同一の極性（例えばＮ極）である。また、各マグネット３２−３５は、トラッキングコイル３６−３９の有効領域に対して有効磁束を発生させる。この様な構成でトラッキングコイル３６−３９に電流を供給すると、トラッキングコイル３６−３９に電流が流れることで発生する磁界と、マグネット３２−３５で生成される磁界で形成される磁気回路との協働により、ＯＢＬホルダ２１はＤｒ方向に変位する。
【００２６】
対物レンズ３１を挟む箇所のＯＢＬホルダ２１の内部には、Ｄｆ方向に巻回軸を有する２つのフォーカスコイル２９、３０が配置されており、マグネット３２−３５は、フォーカスコイル２９、３０の有効領域に対しても有効磁束を発生させている。従って、フォーカスコイル２９、３０に対して電流を供給すると、フォーカスコイル２９、３０に電流が流れることで発生する磁界と、マグネット３２−３５で生成される磁界で形成される磁気回路との協働により、ＯＢＬホルダ２１はＤｆ方向に変位する。尚、本形態では、フォーカスコイル２９、３０に、チルト方向に対する制御を行うための制御信号を付与することで、ＯＢＬホルダ２１をチルト方向（Ｄｒｔ方向）に制御している。
【００２７】
バックヨーク４６Ａは、アクチュエータフレーム４１の端部を直角に曲折加工させた部位であり、ＯＢＬホルダ２１に面するバックヨーク４６Ａの側面にマグネット３５、３４が固着されている。上記したように、磁性金属材料から成るバックヨーク４６Ａにマグネット３５、３４を固着することにより、マグネット３５、３４の有効磁束を強めることができる。
【００２８】
更に、アクチュエータフレーム４１の他の部位を直角に曲折加工することでバックヨーク４６Ｂが形成されており、ＯＢＬホルダ２１に面するバックヨーク４６Ｂの側面に、マグネット３２、３３が固着されている。更にまた、バックヨーク４６Ｂの両端部を、Ｄｆ方向から見て直角に曲折させることでサブヨーク４７を設けている。これにより、マグネット３２、３３は、バックヨーク４６Ｂおよびサブヨーク４７に包囲される。各サブヨーク４７はバックヨーク４６Ｂにマグネット３２、３３の単一磁極（例えばＳ極）が密着されることにより各トラッキングコイル３６、３７に有効に作用する磁束を発生し、マグネット３２、３３側の磁気回路は、有効磁束が強められている。
【００２９】
対向ヨーク４８、４９は、バックヨーク４６Ａ等と同様に、アクチュエータフレームを直角に曲折させた部位であり、夫々がフォーカスコイル２９、３０に挿入する位置に設けられている。対向ヨーク４８、４９をこのように配置することで、フォーカスコイル２９、３０及び各トラッキングコイル３６−３９に有効に作用する有効磁束を強めることができ、ＯＢＬホルダ２１のＤｆ方向、Ｄｒ方向及びＤｒｔ方向の感度を向上させるのに有効である。
【００３０】
図３を参照して、上記したアクチュエータ可動部に含まれるＯＢＬホルダ２１の構成を説明する。図３（Ａ）は各コイルが備えられた状態のＯＢＬホルダ２１を示す斜視図であり、図３（Ｂ）はＯＢＬホルダ２１を他の視点から見た斜視図である。
【００３１】
ＯＢＬホルダ２１の概略的形状は、下方に開口部が設けられた筐体形状である。具体的には、ＯＢＬホルダ２１は、対物レンズ３１が装着される円形の開口部が設けられた主面部５６と、主面部５６の周辺部から下方に一体的に連続する４つの側壁部とを備えている。この側壁部としては、紙面上の奥側で長手方向の側壁部５２、紙面上の手前側で側壁部５２に対向する側壁部５３、紙面上で右側に設けられた短手方向の側壁部５４、および紙面上で左側端部に設けられた側壁部５５が含まれている。側壁部５２および側壁部５３の主面はＤｒ方向に対して平行であり、側壁部５４および側壁部５５の主面はＤｒ方向に対して垂直である。
【００３２】
側壁部５２の外側の主面には、ボビン５７、５８が設けられており、これらのボビンには夫々トラッキングコイル３６、３７が巻回されている。また、側壁部５３の外側の主面には、ボビン５９、６０が設けられており、これらのボビンには夫々トラッキングコイル３８、３９が巻回されている。本形態では、各ボビン５７−６０は、Ｄｒ方向において対物レンズ３１よりも外側の端部に配置されている。この理由は、ＯＢＬホルダ２１を、小型の光ピックアップに収納させると、対物レンズ３１の直下に立ち上げミラーが配置されると共に、前記立ち上げミラーへの光路を確保する空間７０（図３（Ａ））をＯＢＬホルダ２１の側壁部５２及びあるいは側壁部５３の中央から下方の領域に設ける必要があり、この領域にコイル等の部品を収納させるためのマージンが無いからである。
【００３３】
各ボビンに巻回されるトラッキングコイル３６−３９は、１本の細長いエナメル線等の絶縁被膜に表面が被覆された導線から成り、その一端は、側壁部５４の一部を突出させた絡げ部６１に絡げられ、他端は側壁部５５に設けた絡げ部６１に絡げられる。ここで、各トラッキングコイル３６−３９は、Ｄｔ方向に巻回軸を有し、全体として角を丸めた四角形状を呈するように、ボビン５７−６０に巻回されている。
【００３４】
絡げ部６１は、側壁部５４に３つ配置されており、２つはフォーカスコイル２９を構成する導線の両端が夫々絡げられ、１つにはトラッキングコイル３６−３９の端部が絡げられる。同様に、側壁部５５にも３つの絡げ部６１が設けられ、２つの絡げ部６１にはフォーカスコイル３０を構成する導線の両端部が絡げられ、１つの絡げ部６１にはトラッキングコイル３６−３９の他の端部が絡げられる。これらの絡げ部に絡げられた導線には、図２に示した支持ワイヤ４５が夫々接続される。
【００３５】
フォーカスコイル２９、３０は、ＯＢＬホルダ２１の内部に収納されている。フォーカスコイル２９は側壁部５４側の端部に設けられた収納領域２２に配置さており、フォーカスコイル３０は側壁部５５側に設けられた収納領域２３に配置されている。これにより、フォーカスコイル２９、３０は、Ｄｒ方向に於いて、対物レンズ３１よりも外側に配置されている。フォーカスコイル２９、３０を収納する収納領域２２、２３が、対物レンズ３１の外周端部よりも外側に設けられる理由は、上記したボビン５７−６０を端部に配置する理由と同様である。ここで、平面視での収納領域２２、２３の大きさは、収納されるフォーカスコイル２９、３０と同等か若干大きい程度に設定される。
【００３６】
また、フォーカスコイル２９、３０は、Ｄｆ方向に巻回軸を有し、全体として角を丸めた四角形状を呈するように導線が巻回されて構成される。ここで、上記したトラッキングコイル３６−３９は、ＯＢＬホルダ２１の一部であるボビン５７−６０に直に巻回される一方、フォーカスコイル２９、３０は巻回された状態で用意され、接着剤を介してＯＢＬホルダ２１の内部に固着される。また、不図示ではあるが、ＯＢＬホルダ２１の内部には、フォーカスコイル２９、３０を所定位置に収納するための突起部が設けられている。
【００３７】
本形態では、上記したように、１本の導線をボビン５７−６０に巻回することにより、トラッキングコイル３６−３９を形成している。従って、各ボビン間の導線はＯＢＬホルダ２１の側壁に這うように配置されており、この部分の導線が撓む等してＯＢＬホルダ２１の側壁から離れると、課題欄にて説明した不具合が発生するおそれがある。
【００３８】
そこで本形態では、導線を引掛ける為の導線掛部２８Ａ（図３（Ａ））、２８Ｂ（図３（Ｂ））を設けている。図３（Ａ）を参照して、導線掛部２８Ａは、ボビン５９の近傍で、側壁部５３を部分的に外部に突起させた部位であり、トラッキングコイル３７とトラッキングコイル３８とを繋ぐ導線（渡り線）が引掛けられる部位である。一方、図３（Ｂ）を参照して、導線掛部２８Ｂは、トラッキングコイル３７とトラッキングコイル３８とを繋ぐ導線が引掛けられ或いは巻回される部位である。これらの導線掛部２８Ａ、２８Ｂに導線を引掛ける事により、各トラッキングコイルを繋ぐ導線が、ＯＢＬホルダ２１から浮き上がることが抑制される。
【００３９】
図４を参照して、上記した導線掛部２８Ａ、２８Ｂに導線を引掛ける具体的方法を説明する。図４（Ａ）は各トラッキングコイルが巻回された状態のＯＢＬホルダ２１を示し、図４（Ｂ）はトラッキングコイル３９が巻回される部位を示し、図４（Ｃ）はトラッキングコイル３６が巻回される部位を示し、図４（Ｄ）はトラッキングコイル３７が巻回される部位を示し、図４（Ｅ）はトラッキングコイル３８が巻回される部位を示す。上記したように、巻線が巻回される順番は、トラッキングコイル３９、３６、３７、３８である。
【００４０】
図４（Ｂ）を参照して、エナメル線等からなる導線６９を絡げ部６１に絡げた後に、反時計回りにボビン６０に導線６９を巻回させることでトラッキングコイル３９が形成される。ここで、導線６９の巻回は、先端から導線６９が供給される巻線ノズル（不図示）を、ボビン６０周りに移動させることで行われる。
【００４１】
トラッキングコイル３９の巻回が終了した後は、ボビン６０の内側（＋Ｄｒ側）の端部から導線６９を引き出し、巻線ノズルをボビン５７まで移動させる（経路Ａ）。ここで、トラッキングコイル３９の上方に対応する部分の側壁部５３の端部を切り欠いて切込部４２が設けられている。切込部４２は導線６９の位置を固定するための部位であり、内側の側面が傾斜面であり、外側の側面がＤｆ方向に対して平行な面と成っている。また、ボビン同士の間の導線６９は、ＯＢＬホルダ２１の側壁に密着するように配置されている。かかる構成は他の切込部でも同様である。
【００４２】
図４（Ｃ）を参照して、側壁部沿いに這わされた導線６９（経路Ｂ）は、切込部４２を経由した後に、ボビン５７の内側（＋Ｄｒ側）からに反時計回りに巻回される。この巻回が終了した後は、ボビンの上部から、導線６９を＋Ｄｒ方向へ引き出す（経路Ｄ）。
【００４３】
図４（Ｄ）を参照して、次に、導線６９を導線掛部２８Ｂの上部に引掛けた後に（経路Ｅ、Ｆ）、ボビン５８に時計回りに巻回してトラッキングコイル３９を形成する。この巻回が終了した後に、導線６９を一時的に−Ｄｒ方向に引き出して（経路Ｇ）、導線掛部２８Ｂに一回巻回して（経路Ｈ、Ｉ）、切込部４２を経由して次のボビンに這わせる（経路Ｊ、Ｋ）。この様に、導線６９を導線掛部２８Ｂに巻回等する理由は図６を参照して説明する。また、経路Ｅの導線６９は、クロスする経路Ｊの導線６９によって側壁部５２側に押圧されており、これにより経路Ｅの導線６９の浮き上がりが防止されている。
【００４４】
図４（Ｅ）を参照して、次に、ＯＢＬホルダの側壁沿いの経路Ｌおよび切込部４２を経た導線６９（経路Ｌ）は、導線掛部２８Ａに引掛けられることで曲折された経路（経路Ｍ、Ｎ）を経由して、時計回りにボビン５９に巻回されることでトラッキングコイル３８が形成される。この巻回が終了した後は、側壁部５４に設けた絡げ部（不図示）に導線６９の端部を絡げる（経路Ｏ）。
【００４５】
上記したように、トラッキングコイル３９およびトラッキングコイル３６の側方には導線掛部は形成されること無く、これらのトラッキングコイルを構成する導線６９は各ボビンから直線的に切込部４２に這わされている。この理由は、図４（Ｂ）を参照して、トラッキングコイル３９を構成する導線６９が、ボビン６０の内側（＋Ｄｒ側）から導出され、経路ＡとＤｆ軸とで構成される角の角度が小さくなることから、巻線ノズルによる導線６９の巻回処理が容易になるからである。
【００４６】
同様に、図４（Ｃ）を参照して、トラッキングコイル３６に関しても、経路Ｂを経た導線６９は、ボビン５７の内側（＋Ｄｒ側）から経路Ｃを経由して巻回される。経路ＣとＤｆ軸とで構成される角の角度が小さく、巻線ノズルによる巻回処理が容易なので、切込部４２からボビン５７の間の経路に導線掛部は設けられない。
【００４７】
一方、図４（Ｄ）を参照すると、ボビン５８に巻回された導線６９は、ボビン５８の外側（＋Ｄｒ側）から、切込部４２に引き出される。従って、何ら対策を施さずにそのまま導線６９を引き出すと、ボビン５８と切込部４２との間で導線６９がホルダの側壁から離れてしまう。このため本形態では、ボビン５８よりも内側（−Ｄｒ側）に導線掛部２８Ｂを設け、この導線掛部２８Ｂに導線を巻回している。これにより、ボビン５８から切込部４２に至るまでの経路（経路Ｇ、Ｈ、Ｉ、Ｊ）で導線６９が側壁部５２に密着する。また、導線掛部２８Ｂは、トラッキングコイル３７を巻回する巻回ノズルとの接触を避けるために、ボビン５８の内側（−Ｄｒ）の端部から１．２ｍｍ以上離間して配置される。
【００４８】
更に、図４（Ｅ）を参照すると、図４（Ｄ）の場合と同様に、ボビン５９にトラッキングコイル３８を形成する際に、導線６９はボビン５９の外側（＋Ｄｒ）側から巻回される。そこで、切込部４２とボビン５９との間の経路で、導線６９が側壁部５２から離れないように導線掛部２８Ａが設けられている。従って、導線６９は、経路Ｌから切込部４２を経由し、導線掛部２８Ａに導線が引掛けられることで、曲折する経路Ｍ、Ｎを辿った後に、ボビン５９に巻回される。上記と同様に、巻回ノズルとの接触を避けるために、導線掛部２８Ａは、ボビン５９の−Ｄｒ側の端部から１．２ｍｍ以上離間している。
【００４９】
図５を参照して、導線掛部２８Ａに導線６９が巻回される構成を詳述する。本形態では、導線掛部２８Ａに導線を少なくとも一回巻回することにより、ボビン５８から切込部４２に到るまでの経路で導線６９を安定して這わせている。具体的には、この経路にて単に導線６９を導線掛部２８Ａに引掛けた場合、導線掛部２８Ａから切込部４２までの経路は点線にて示す経路Ｊ’になる。この様になると、導線６９を這わせる巻線ノズルの位置に誤差が生じた場合、導線６９が切込部４２から−Ｄｒ側に外れて不良が発生する恐れがある。この為、本形態では、導線掛部２８Ａに導線６９を時計回りに巻回した後、切込部４２に導線を這わせている（経路Ｊ）。これにより、経路ＪとＤｆ軸とで形成される角の角度が小さくなるので、導線６９が切込部４２から脱落しない。
【００５０】
図６を参照して、各導線掛部の形状を更に説明する。図６（Ａ）および図６（Ｂ）は導線掛部２８Ｂの形状を示す図であり、図６（Ｃ）および図６（Ｄ）は導線掛部２８Ａの形状を示す図で有る。
【００５１】
図６（Ａ）及び図６（Ｂ）を参照して、導線掛部２８Ｂは、側壁部５３を外側に部分的に突起させた部位であり、導線掛部２８Ｂの下面は、内側が上方に切れ込む傾斜面と成っている。この部分では、導線掛部２８Ｂの下面と側壁部５３の外面とで構成される角の角度が鋭角になっている。これにより、導線掛部２８Ｂの下部の内側に空間が形成され、この空間に導線６９が収納されることにより、導線６９が側壁部５３に密着された状態で引掛けられる。また、導線６９が導線掛部２８Ｂから外れにくく成る。
【００５２】
図６（Ｄ）を参照して、導線掛部２８Ａの上面内側は下方に傾斜する傾斜面であり、この部分に図６（Ｃ）に示す経路Ｅの導線６９が引掛けられる。更に、ボビン５８と切込部４２との間の経路の導線６９が導線掛部２８Ａに巻回されている。従って、導線掛部２８Ａは２つの経路（経路Ｅ−Ｆ、経路Ｇ−Ｊ）の導線６９を矯正する働きを有している。
【００５３】
ここで、上記した本形態は次のように変更することも可能である。具体的には、図４を参照して、各導線掛部を設ける場所を変更しても良い。即ち、図４の各図を参照して、この場合、図４（Ｄ）に示す導線掛部２８Ｂをボビン５７（図４（Ｃ））の近傍に設け、上記と同じ要領で導線６９を引掛ける。また、図４（Ｅ）に示す導線掛部２８Ａをボビン６０（図４（Ｂ））の近傍に設け、上記と同じ要領で導線６９を引掛ける。この場合、各ボビンに導線が巻回される方向も逆と成る。係る構成であっても、上記と同様の効果が奏される。
【符号の説明】
【００５４】
１     レーザーユニット
６     回折格子
９     １／４波長板
１２   コリメートレンズ
１３   ハーフミラー
１６   第１プレート
１７   光検出器
１８   １／４波長板
１９   第２プレート
２０   ＦＭＤ
２１   ＯＢＬホルダ
２２   収納領域
２３   収納領域
２８Ａ，２８Ｂ       導線掛部
２９   フォーカスコイル
３０   フォーカスコイル
３１   対物レンズ
３２   マグネット
３３   マグネット
３４   マグネット
３５   マグネット
３６   トラッキングコイル
３７   トラッキングコイル
３８   トラッキングコイル
３９   トラッキングコイル
４０   アクチュエータ可動部
４１   アクチュエータフレーム
４２   切込部
４３   補助部材
４４   固定基板
４５   支持ワイヤ
４６Ａ，４６Ｂ       バックヨーク
４７   サブヨーク
４８   対向ヨーク
４９   対向ヨーク
５０   対物レンズ駆動装置
５１   ハウジング
５２   側壁部
５３   側壁部
５４   側壁部
５５   側壁部
５６   主面部
５７   ボビン
５８   ボビン
５９   ボビン
６０   ボビン
６１   絡げ部
６９   導線
７０   空間
【図１】
2013097823.tif 000003
【図２】
2013097823.tif 000004
【図３】
2013097823.tif 000005
【図４】
2013097823.tif 000006
【図５】
2013097823.tif 000007
【図６】
2013097823.tif 000008